(57)【要約】【課題】ピンチを使わずに、洗濯物を干すことができる物干しハンガを提供すること。【解決手段】物干しハンガ１００は、洗濯物が掛けられ、被吊り下げ物に吊り下げられる枠１０と、枠１０に接続され、棒状に形成された腕部２０と、を備え、腕部２０は、先端側が枠１０の側方に延び、先端側から洗濯物に挿入される。洗濯物を干す使用者は、被吊り下げ物に枠１０を吊るし、この状態で、腕部２０に洗濯物を挿入する。これにより、ピンチを使わずに、洗濯物を干すことができる。【選択図】図１
0003192582.tif 000002
【実用新案登録請求の範囲】
【請求項１】
洗濯物が掛けられる物干しハンガであって、
被吊り下げ物に吊り下げられる枠と、
前記枠に接続され、棒状に形成された腕部と、を備え、
前記腕部は、先端側が前記枠の側方に延び、先端側から前記洗濯物に挿入される物干しハンガ。
【請求項２】
前記枠は、環状に形成され、
前記枠に形成された環の内側に設けられ、網形状に形成された網部を、更に備え、
前記網部は、上面に前記洗濯物が載置される請求項１に記載の物干しハンガ。
【請求項３】
弾性変形可能な部材で形成され、前記枠に近接して、前記枠と平行に延びる棒状に形成された挟持部を、更に備え、
前記挟持部は、前記枠との間に前記洗濯物を挟持する請求項１又は２に記載の物干しハンガ。
【請求項４】
前記腕部は、基端が前記枠に対して上方に回動可能に接続されている請求項１から３のいずれかに記載の物干しハンガ。
【請求項５】
前記腕部は、一対で設けられ、
一対の前記腕部は、基端が互いに対向する位置に設けられ、先端が互いに反対方向に延びる請求項１から４のいずれかに記載に物干しハンガ。
【考案の詳細な説明】
【技術分野】
【０００１】
本考案は、物干しハンガに関し、特に、洗濯物が掛けられる物干しハンガに関する。
【背景技術】
【０００２】
従来、洗濯物のうち、靴下、パンツ、ハンカチ、タオル、シャツ等の小物は、物干し竿に掛けられる物干しハンガに取り付けられ、干される。
このような物干しハンガとして、外枠と内枠にピンチを取り付け、このピンチで洗濯物を挟む物干しハンガが提案されている（特許文献１参照）。
【先行技術文献】
【特許文献】
【０００３】
【特許文献１】特開２０１４−６４８６２号公報
【考案の概要】
【考案が解決しようとする課題】
【０００４】
しかしながら、特許文献１の物干しハンガに洗濯物を干す場合、洗濯物を干す使用者は、一方の手でピンチの一端を摘まみ他端を開き、この開いた他端の間に洗濯物を挿入し、一方の手を離すことで、洗濯物をピンチに挟持させる。このような作業は、靴下、パンツ、ハンカチ、タオル、シャツ等の小物に対し一つずつ行う必要があり、使用者の作業負担を増加させている。
【０００５】
本考案は、ピンチを使わずに、洗濯物を干すことができる物干しハンガを提供することを目的とする。
【課題を解決するための手段】
【０００６】
（１）  洗濯物が掛けられる物干しハンガであって、
被吊り下げ物に吊り下げられる枠と、
前記枠に接続され、棒状に形成された腕部と、を備え、
前記腕部は、先端側が前記枠の側方に延び、先端側から前記洗濯物に挿入される物干しハンガ。
【０００７】
（１）の構成によれば、物干しハンガは、洗濯物が掛けられ、枠と、腕部と、を備える。
枠は、被吊り下げ物に吊り下げられる。
腕部は、枠に接続され、棒状に形成されている。
そして、腕部は、先端側が枠の側方に延び、先端側から洗濯物に挿入される。
【０００８】
これにより、洗濯物を干す使用者は、例えば、物干し竿に枠を吊るし、この状態で、腕部に洗濯物を挿入する。具体的には、例えば洗濯物が靴下であれば、洗濯物を干す使用者は、当該靴下を足の挿入口から腕部に挿入するだけで、ピンチを使うことなく、当該靴下を干すことができる。
したがって、ピンチを使わずに、洗濯物を干すことができる物干しハンガを提供できる。
【０００９】
（２）  前記枠は、環状に形成され、
前記枠に形成された環の内側に設けられ、網形状に形成された網部を、更に備え、
前記網部は、上面に前記洗濯物が載置される（１）に記載の物干しハンガ。
【００１０】
（２）の構成によれば、枠は、環状に形成され、網部を、更に備える。
網部は、枠に形成された環の内側に設けられ、網形状に形成されている。
そして、網部は、上面に洗濯物が載置される。
【００１１】
ここで、例えば、子供用の靴下等の他の洗濯物に比べ小さい洗濯物は、腕部を挿入するのも手間が掛かる場合もある。
（２）の発明によれば、洗濯物を干す使用者は、このような比較的小さい洗濯物を、網部の上面に載置するだけで、ピンチを使うことなく、当該比較的小さい洗濯物を干すことができる。
したがって、ピンチを使わずに、容易に比較的小さい洗濯物を干すことができる物干しハンガを提供できる。
【００１２】
（３）  弾性変形可能な部材で形成され、前記枠に近接して、前記枠と平行に延びる棒状に形成された挟持部を、更に備え、
前記挟持部は、前記枠との間に前記洗濯物を挟持する（１）又は（２）に記載の物干しハンガ。
【００１３】
（３）の構成によれば、挟持部を、更に備える。
挟持部は、弾性変形可能な部材で形成され、枠に近接して、枠と平行に延びる棒状に形成されている。
そして、挟持部は、枠との間に洗濯物を挟持する。
【００１４】
これにより、例えば、洗濯物が、穴のない平面形状に形成されたハンカチやタオル等の場合、使用者は、ハンカチ等を、挟持部と枠との間に挟持するだけで、このような穴のない平面形状に形成された洗濯物を干すことができる。
したがって、洗濯物が穴のない平面形状に形成されていても、ピンチを使わずに、洗濯物を干すことができる物干しハンガを提供できる。
（４）  前記腕部は、基端が前記枠に対して上方に回動可能に接続されている（１）から（３）のいずれかに記載の物干しハンガ。
【００１５】
（４）の構成によれば、腕部は、基端が枠に対して上方に回動可能に接続されている。
これにより、洗濯物を干す使用者は、腕部に洗濯物を挿入してから、腕部を上方に回動させ、腕部を立てることで、腕部を水平に配置している場合に比べ、腕部に挿入された洗濯物に日光や風を当て易くできる。これにより、例えば、洗濯物が厚手の生地で形成されている場合に、腕部を上方に回動させることで、この洗濯物が乾燥し易くなる。
【００１６】
（５）  前記腕部は、一対で設けられ、
一対の前記腕部は、基端が互いに対向する位置に設けられ、先端が互いに反対方向に延びる（１）から（４）のいずれかに記載に物干しハンガ。
【００１７】
（５）の構成によれば、腕部は、一対で設けられている。
一対の腕部は、基端が互いに対向する位置に設けられ、先端が互いに反対方向に延びる。
これにより、例えば、バスタオル等の比較的大きい洗濯物の場合、この比較的大きい洗濯物を、一対の腕部の両方に掛けることで、一方の腕部のみ掛けた場合に比べ、より広い範囲を広げて干すことができる。
したがって、ピンチを使わずに、容易に比較的大きい洗濯物を干すことができる物干しハンガを提供できる。
【考案の効果】
【００１８】
本考案によれば、ピンチを使わずに、洗濯物を干すことができる物干しハンガを提供できる。
【図面の簡単な説明】
【００１９】
【図１】本考案の第１実施形態に係る物干しハンガ１００の斜視図である。
【図２】前記第１実施形態に係る腕部２０の動作を説明する図である。
【図３】本考案の第２実施形態に係る物干しハンガ２００の斜視図である。
【図４】前記第２実施形態に係る物干し部１Ａを底面から視た図である。
【図５】前記第２実施形態に係る物干しハンガ２００を側面から視た図である。
【考案を実施するための形態】
【００２０】
〈第１実施形態〉
本考案の第１実施形態に係る物干しハンガ１００の構成を図面に基づいて説明する。
以下の実施形態の説明において、同一の構成には、同一の符号を付し、その説明を省略又は簡略化する。
図１は、本考案の第１実施形態に係る物干しハンガ１００の斜視図である。
物干しハンガ１００は、洗濯物（例えば、靴下６０等）が掛けられる物干し部１と、物干し部１を被吊り下げ物の一例である物干し竿６に吊るす吊り部２と、を備える。
【００２１】
物干し部１は、枠１０と、複数の腕部２０と、を備える。
枠１０は、棒状体に形成され、その中間から、物干し竿６に吊り部２を介して吊り下げられ、吊り下げられた状態で、略水平に配置される。なお、枠１０は、端部を被吊り下げ物に吊り下げ、略垂直に配置したり、水平に対して任意の角度で配置したり、してもよい。
【００２２】
腕部２０は、基端が枠１０に接続され、棒状に形成され、先端側が枠１０の延びる方向と直交する方向に延び、先端側から、洗濯物に挿入される。なお、腕部２０は、枠１０に対して直交する方向に配置する態様に限らず、その先端側が枠の側方に延びていれば、枠１０に対して任意の方向に配置してもよい。
また、腕部２０は、一対で、複数箇所設けられている。
一対の腕部２０は、基端が互いに対向する位置に設けられ、先端が互いに反対方向に延びる。
【００２３】
図２は、前記第１実施形態に係る腕部２０の動作を説明する図である。
腕部２０は、基端が枠１０に回動可能に接続され、枠１０に対して先端が上方に回動可能に構成されている。
なお、腕部２０は、基端を枠１０に回動可能に接続する構成に限らず、水平方向又は水平方向より先端側が枠１０より上方に配置されていれば、枠１０に固定されていてもよい。また、腕部２０は、その基端を枠１０に固定する構成に限らず、その中間部分を枠１０に固定してもよい。
【００２４】
使用者は、例えば、腕部２０が水平に配置された状態で、洗濯物である靴下６０の内部に腕部２０を挿入する。
そして、使用者は、この状態から、腕部２０の先端側を上方に回動させ、図２に示す状態とする。これにより、腕部２０を水平に配置している場合に比べ、腕部２０に挿入された靴下６０に日光や風を当て易くできる。
【００２５】
また、図１に戻って、使用者は、複数の一対の腕部２０に亘って、比較的大きい洗濯物であるバスタオル６１を掛けることができる。このように腕部２０を一対で設けることで、物干しハンガ１００は、比較的大きい洗濯物も干すことができる。
【００２６】
なお、腕部２０は、一対で設ける構成に限らず、単独で設けてもよいし、上面視で左方向に延びるものと、右方向に延びるものを段違いで設けてもよい。
【００２７】
図１に戻って、吊り部２は、物干し竿６の外周に係止可能なフック形状で形成されている。吊り部２は、枠１０の中央近傍に設けられている。
なお、吊り部２は、物干し部１を吊るすことができれば、任意の形状で、任意の数で設けることができる。
【００２８】
本第１実施形態に係る物干しハンガ１００によれば、以下の作用効果を奏する。
物干しハンガ１００によれば、洗濯物を干す使用者は、例えば、物干し竿６に枠１０を吊るし、この状態で、腕部２０に洗濯物を挿入する。具体的には、例えば、洗濯物が靴下６０であれば、洗濯物を干す使用者は、当該靴下６０を足の挿入口から腕部２０に挿入するだけで、ピンチを使うことなく、当該靴下を干すことができる。
したがって、ピンチを使わずに、洗濯物を干すことができる物干しハンガを提供できる。
【００２９】
また、物干しハンガ１００によれば、洗濯物を干す使用者は、腕部２０に洗濯物を挿入してから、腕部２０を上方に回動させ、腕部２０を立てることで、腕部２０を水平に配置している場合に比べ、腕部２０に挿入された洗濯物に日光や風を当て易くできる。これにより、例えば、洗濯物が厚手の生地で形成されている場合に、腕部２０を上方に回動させることで、この洗濯物が乾燥し易くなる。
【００３０】
また、物干しハンガ１００によれば、例えば、バスタオル６１等の比較的大きい洗濯物の場合、この比較的大きい洗濯物を、一対の腕部２０の両方に掛けることで、一方の腕部２０のみ掛けた場合に比べ、より広い範囲を広げて干すことができる。
したがって、ピンチを使わずに、容易に比較的大きい洗濯物を干すことができる物干しハンガを提供できる。
【００３１】
〈第２実施形態〉
次に、本考案の第２実施形態に係る物干しハンガ２００の構成を図面に基づいて説明する。
図３は、本考案の第２実施形態に係る物干しハンガ２００の斜視図である。
第２実施形態に係る物干しハンガ２００は、物干し部１Ａにおいて、枠１０Ａが環状に形成されている点、網部３０、挟持部４０及び吊り輪部５０を更に備える点が、第２実施形態に係る物干しハンガ１００と異なる。
【００３２】
図４は、前記第２実施形態に係る物干し部１Ａを底面から視た図である。
物干し部１Ａは、枠１０Ａと、枠１０Ａに接続された、複数の腕部２０と、網部３０と、複数の挟持部４０と、複数の吊り輪部５０と、を備える。
【００３３】
枠１０Ａは、棒状体が環状に形成され、平面視における外形が略四角形状に形成され、互いに対向する一対の縦枠１１と、一対の縦枠１１の両端に夫々接続され、互いに対向する一対の横枠１２と、を有する。
なお、枠１０は、平面視における外形が略四角形状に限らず、縦枠に相当する互いに対向する一対の辺を有し、この辺を接続する横枠に相当する部材を備えれば、平面視における外形が楕円形状や６角形状等の任意の形状とすることができる。
【００３４】
網部３０は、枠１０Ａに形成された環の内側に設けられ、網形状に形成されている。
図３に示すように、網部３０は、上面に洗濯物（例えば、子供用の靴下６２等）が載置される。
なお、枠１０Ａ及び網部３０は、１段に限らず、複数段設けてもよい。この場合、例えば、上の段の枠１０Ａに設けられた吊り輪部５０から下の段の枠１０Ａを吊り、この下の段の枠１０Ａの内側に網部３０を設けることができる。
【００３５】
図５は、前記第２実施形態に係る物干しハンガ２００を側面から視た図である。
挟持部４０は、棒状の弾性変形可能な部材で形成され、基端が枠１０Ａの下面に固定され、枠１０Ａに近接して、枠１０Ａと平行に延びる棒状体４１と、棒状体４１の先端に設けられ、例えば、球形状に形成され、洗濯物を枠１０Ａと棒状体４１との間にガイドし、枠１０Ａと当接するガイド部４２と、を有する。
【００３６】
使用者は、枠１０Ａとガイド部４２との間から、洗濯物（例えば、ハンカチ６３等）を枠１０Ａと棒状体４１との間に挿入し、枠１０Ａと棒状体４１とで洗濯物を挟持させる。
このように、ガイド部４２を設けることで、スムーズに枠１０Ａと棒状体４１とで洗濯物を挟持させることができる。
【００３７】
また、挟持部４０は、一対で、複数箇所設けられている。
一対の挟持部４０は、ガイド部４２が互いに対向するように設けられている。
このように、一対の挟持部４０をガイド部４２が互いに対向するように設けることで、例えば、使用者は、例えば、シャツ６４の左側の袖口から一方の挟持部４０を挿入し、右側の袖口から他方の挟持部４０を挿入することで、洗濯物がシャツであっても、その他のハンガ等やピンチを使わずに、洗濯物を干すことができる。
【００３８】
なお、挟持部４０は、枠１０Ａと棒状体４１とで洗濯物を挟持できれば、ガイド部４２を省略することができる。
また、挟持部４０は、一対で設ける構成に限らず、単独で設けてもよいし、同一方向に向けて複数設けてもよい。
【００３９】
吊り輪部５０は、枠１０Ａの４隅において、枠１０Ａの下面に設けられ、シャツ等が掛けられる他のハンガ等を引っ掛けることが可能な環状に形成されている。
【００４０】
図３に戻って、第２実施形態における吊り部２は、物干し竿６の外周に係止可能なフック形状で形成されている。吊り部２は、枠１０Ａの４隅に接続された４本の紐部に連結されている。物干し部１Ａは、この吊り部２を物干し竿６に引っ掛け、吊り下げられた場合、略水平な状態となる。
なお、吊り部２は、物干し部１Ａを吊すことができれば、任意の形状で、任意の数で設けることができる。
【００４１】
本第２実施形態に係る物干しハンガ２００によれば、第１実施形態に係る物干しハンガ１００が奏する効果に加え、以下の作用効果を奏する。
物干しハンガ２００によれば、洗濯物を干す使用者は、比較的小さい洗濯物（例えば、子供用の靴下６２等）を、網部３０の上面に載置するだけで、ピンチを使うことなく、当該比較的小さい洗濯物を干すことができる。
したがって、ピンチを使わずに、容易に比較的小さい洗濯物を干すことができる物干しハンガを提供できる。
【００４２】
また、物干しハンガ２００によれば、例えば、洗濯物が、穴のない平面形状に形成されたハンカチ６３等の場合、使用者は、ハンカチ６３等を、挟持部４０と枠１０Ａとの間に挟持するだけで、このような穴のない平面形状に形成された洗濯物を干すことができる。
したがって、洗濯物が穴のない平面形状に形成されていても、ピンチを使わずに、洗濯物を干すことができる物干しハンガを提供できる。
【００４３】
なお、本考案は前記実施形態に係る物干しハンガ１００及び２００は、樹脂、カーボン、金属、木製等の適宜の材料で形成することができる。また、第２実施形態の構成の一部を第１実施形態に適用することもできる。また、本考案は前記実施形態に限定されるものではなく、本考案の目的を達成できる範囲での変形、改良等は本考案に含まれるものである。
【符号の説明】
【００４４】
１，１Ａ  物干し部
２    吊り部
６    物干し竿
１０，１０Ａ  枠
１１  縦枠
１２  横枠
２０  腕部
３０  網部
４０  挟持部
４１  棒状体
４２  ガイド部
５０  輪部
６０  靴下
６１  バスタオル
６２  靴下
６３  ハンカチ
６４  シャツ
１００，２００  物干しハンガ
【図１】
0003192582.tif 000003
【図２】
0003192582.tif 000004
【図３】
0003192582.tif 000005
【図４】
0003192582.tif 000006
【図５】
0003192582.tif 000007